(57)【要約】      （修正有）【課題】自動巻腕時計の機械部を中心にした文字盤と平行な面での回転運動を、腕時計にとって自然と思われるものに代えることで、腕時計の機械部に対する負担を軽減させ、腕時計の固定作業を不要にして、利便性を高め、小型であり、実用的な外寸を有した収納箱を形成するのに適したネジ巻装置を提供する。【解決手段】腕時計７の固定を外蓋６を閉じることだけで可能にし、一般的利便性を得る。駆動アームは内箱１に平行な四分の三回転の反復運動を与え、時計の自動巻機構に働いて時計機能を継続させる。人間の自然な動作に近似したこの運動は時計機械部への攻撃性が低く、複数の腕時計に同時に作用することも可能な運動である。この内箱１を内包する腕時計収納箱を形成する。【選択図】  図１
2004309444.tif 000002
【特許請求の範囲】
【請求項１】
人間の自然な動作を模した運動により自動巻腕時計のゼンマイを巻き上げ、収納箱として使用可能なネジ巻装置。
【請求項２】
自動巻腕時計のネジ巻装置が必要とした時計固定の手間を省く二重蓋構造を持つ、収納箱として使用可能なネジ巻装置。
【発明の詳細な説明】
【０００１】
【発明の属する技術分野】
本発明は、一般的利便性を有した腕時計の収納箱であり、自動巻腕時計の自動巻機構を非装着時の保管された状態においても機能させ、その時計が長期間装着されなかった場合でも時計機能が正常に作動し続けるようにすることが可能な自動巻腕時計のネジ巻装置である。一般的利便性を有した収納箱とは、複数の腕時計を保管することが可能で適正な外寸を有し、腕時計の固定等の余分な手間を必要としないことを示す。自動巻腕時計は、装着後一定の時間が経過するとその時計機能を停止してしまう。しかし、装着されていない腕時計に運動を与えその自動巻機構を継続的に機能させられれば、その停止を防ぐことができる。更に、機械式腕時計が非常に長期間に渡り継続使用される精密機械であることを考慮すれば、その運動は自動巻機構を含めたその時計の機械部全体に対し出来る限り攻撃性の低い運動である必要がある。元来腕時計は手首に装着されて使用されることを前提に製造されているから、その想定された人間の自然な動きを再現した運動によってその時計の自動巻機構を機能させれば、その時計の機械部に対する攻撃性は低いものとなる。本発明は自然な腕の動きに近似した運動を用いて自動巻腕時計の自動巻機構を機能させ、複数の腕時計を同時に収納することが可能な一般的利便性を有する腕時計収納箱であり、自動巻腕時計の時計機能を継続的に機能させることを目的とする装置である。
【０００２】
【従来の技術】
従来から存在しているネジ巻装置と呼ばれ自動巻腕時計の自動巻機構を機能させるためにゼンマイを巻き上げる装置は、そのための方法に単純な回転運動を用いている。これは、ネジ巻装置が時計製造終了時の完成試験機器から派生した装置であるためである。その目的から、時計機械部に対する過度の衝撃を避けることよりも短時間での機能確認を優先する完成試験機は、時計機械部を中心とし、その文字盤を水平に回転させる運動を時計に与えている。その必然性は、自動巻機構の分銅が回転するその文字盤に平行に配されていることにある。自動巻機構を機能させるには、その分銅の稼動面と平行な面で運動を与えるのが最も効率が良い。しかし、完成試験機や従来のネジ巻装置の場合、時計機械部を中心にしたこの回転運動を腕時計に与えるためには腕時計一つ一つを完成試験機、あるいはネジ巻装置に完全に固定しなければならない必要性があった。この手間は、この装置を日常的に使用する収納箱として活用する場合、利便性の点で大きな障害となる。加えて、その回転運動を一つ一つの腕時計に別個に与えなければならないため、複数の自動巻腕時計のゼンマイを同時に巻き上げようとすれば互いの干渉を避けるために必要な空間は非常に大きいものと成ってしまう。よって、従来のネジ巻装置と同じ方法で複数の自動巻腕時計のゼンマイを同時に巻き上げ、同時に保管できる腕時計収納箱を形成しようとすれば、非常に大きな外寸を有した物にならざるを得なかった。
【０００３】
【発明が解決しようとする課題】
従来のネジ巻装置が、ゼンマイの巻き上げのために用いている自動巻腕時計の機械部を中心にした文字盤と平行な面での回転運動は、通常の人間の動作に存在しない動きであるため、巻き上げられる自動巻腕時計にとっては不自然な運動であり、その機械部に対する攻撃性の高い運動である。この運動を腕に装着されて使用される事を想定された腕時計にとって自然と思われるものに代えることで、腕時計の機械部に対する負担を軽減させてやる必要性があった。更に、その運動を与えるために必要不可欠であった腕時計の固定作業を不要にして、その手間を省くことによって、腕時計収納箱として日常的に使用する場合の利便性を高める必要性もあった。同時に、新たな運動を自動巻腕時計に与えるための装置はより小型であり、実用的な外寸を有した収納箱を形成するのに適したものでなければならなかった。
【０００４】
【課題を解決するための手段】
手首に装着されて使用される腕時計が通常遭遇すると思われる動きは、幾つかに大別出来る。ゼンマイを巻き上げる効率を考慮し、それらの運動の中から自動巻機構の分銅の稼動面と平行な面での運動として、人間が走るときや速く歩こうとする時等に行なう肘を曲げて前後に振る動作に着目した。この動作は、人間がその反動を利用しようとする時に自然に行なわれるものであり、腕時計の製造時に既に想定されている動作である。本発明では腕時計の機械部に対する攻撃性を軽減させるために、この動作を模した運動によって自動巻腕時計の自動巻機構を機能させている。反動を利用しようとする人間を側面から見たとき、肘を曲げ、肩を中心にして上腕部を小さな角度で繰り返し振る反復半回転運動を行なっている。この時、腕時計を装着している手首は僅かに上下しているだけに見える。しかし、この動作をする人間は通常の場合前進しているため、装着された腕時計は緩やかな波型の軌跡を描く運動を与えられていることになる。本発明が自動巻腕時計に与えるのは、この軌跡を模した半回転運動を繰り返す反復半回転運動である。同一平面内で平行移動するこの運動を水平面内で再現すれば、その目的を実現しようとする収納箱の高さを低く抑えることにも寄与する。また、自動巻腕時計に運動を与えるための稼動部を、外装と切り離した内箱とすることで外装面に露出するのを避け、ネジ巻機構が随時稼動する場合の安全性を確保した。その内箱は収納箱の外装の一部となる外蓋とは別個に内蓋を持っていて、その内蓋は外蓋に連動して開閉する。この連動は内蓋と内箱とを連結する蝶板内に、内蓋が常に開く方向に作用するようスプリングを配することで実現する。外蓋と内蓋は内蓋に取り付けられたボールキャスターを介して接触しているので、この連動が稼動する内箱の運動を妨げるものにはならない。外蓋を閉じることにより圧力を加えられる内蓋裏面のウレタンフォームに類したクッション材と、内箱の底面にあるクッション材の間に腕時計を挟み込み、その圧力によって内箱内部の腕時計を押さえる。こうすることで腕時計固定の必要を廃することができる。本発明はこの二重蓋構造によって、一般的な腕時計収納箱を使用する場合と何ら変わりのない利便性を得ている。更に、この方法によって腕時計を収納する内箱は、隣り合って収納される時計の間に仕切り部を設ける必要がないため、その分幅の設定に対する自由度が高い。この自由度は収納する時計の大きさに対する自由度だけではなく、複数の腕時計を収納する場合の寸法を仕切り分だけ小さく設定出来ることにもなるため、本発明がその収納能力に応じた実用的な外寸を有することにも寄与する。自動巻腕時計に運動を与える内箱を駆動するモーターをタイマーによる間欠作動とし、内箱の稼動が停止する間に自動巻腕時計が自身の時計機能を継続させるのに必要なゼンマイの巻き上げ量を得られるように内箱が稼動する時間の長さを設定してやれば、長期間に渡り自動巻腕時計を使用しない場合でもその時計機能を継続させることが可能となり、本発明の目的を実現できる。
【０００５】
【発明の実施の形熊】
本発明の収納部に相当する内箱１上面にある内蓋２は、内蓋２が常に開く方向に作用するスプリングを内蔵した蝶板３によって内箱１と連結している。内蓋２の先端にはボールキャスター４が取り付けられていて、その可動部分は本発明の外装を形成する外箱５が持つ外蓋６の裏面に接触している。外蓋６を開閉するとボールキャスター４の可動部分は滑るように回転しながらその接触位置を変え、常に開こうとする内蓋２を外蓋６の開閉に連動させて開閉するように作用する。腕時計７を内箱１の中に収納し外蓋６を閉じ、マグネットキャッチ８を使用して外蓋６を外箱５に固定した状態でも、内蓋２はボールキャスター４を介し外蓋６の裏面に接触しているので、内箱１が収納した腕時計７に運動を与えるため稼動してもその接触を原因とする支障は考えられない。尚、外蓋６の開閉は、内蓋２との連動を保つためにステー９によって制限されている。また、外蓋６の固定に磁石の力を使用するのは、収納した腕時計７の厚みが設定した寸法を超えた場合、あえて外蓋６が閉じた状態で固定できないようするためである。腕時計７が想定を超える寸法の場合、これによって損傷することを防ぐことができる。内箱１の稼動は、一端に自由に回転する支点を持ち反復して四分の三回転する駆動アーム１０と、同じ寸法で両端に自由に回転する支点を持つ第一補助アーム１１、第二補助アーム１２によって実現される。各アームの自由に回転する一方の支点は、内箱１の下面三箇所とそれぞれ結ばれている。駆動アーム１０のもう一方の支点は小歯車１３に固定されていて、小歯車１３は反復回転運動をする大歯車１４と噛み合うことで反復回転運動を行なう。この運動によって駆動アーム１０が反復して回転することになる。第一補助アーム１１、第二補助アーム１２のもう一方の支点は外箱５の底面に取り付けられている。二つの補助アーム両端の支点は、駆動アーム１０両端の支点と全く同じ位置関係にあって、平行かつ同方向である。駆動アーム１０が反復回転運動を行なうと、二つの補助アームに連結されている内箱１は、平行に移動しながら反復回転運動を行なう。内箱１の姿勢を制御するためだけならば、第二補助アーム１２は不要である。しかし、内箱１が腕時計７を複数収納する場合の重量増を考慮し内箱１の稼動をより安定したものにするために、本発明では合計三本のアームを設定している。内箱１の収納容量を増大した場合等で重量増が過大であれば第三、第四の補助アームを必要とする場合も考えられる。小歯車１３に作用する大歯車１４は、作動変換アーム１５を介して大プーリー１６と連結される。大プーリー１６の二分の一回転は、大歯車１４の十二分の一回転程度に相当し、このとき小歯車１３と噛み合う歯数は小歯車１３が四分の三回転するのに必要な歯の数に等しい。大プーリー１６が回転すると、小歯車１３に固定された駆動アーム１０はそれに連動し反復して四分の三回転する。大プーリ１６はベルト１８により小プーリー１７と結ばれることで回転する。小プーリー１７はギヤボックスを持つモーターユニット１９の駆動により回転する。そのモーターユニット１９は、その作動及び停止の時間帯をタイマーユニット２０によって制御され間欠作動を行なう。タイマーユニット２０の時間的な制御と、駆動アーム１０及び二つの補助アームによる姿勢と回転角の制御を受け稼動する内箱１は、その底面とその内蓋２の裏面にクッション材２１を備えていて、収納する腕時計７を保護しながら圧迫して固定する。この圧迫に必要な圧力は、外蓋６を閉じ外箱５に固定することによって得られる。このような実施の形態により、収納した腕時計７に断続的な反復回転運動を与えて、その自動巻機構に作用し継続的に機能させる。尚、安全を確保するため外蓋６の開閉を感知して電源を切る開閉センサー２２を電源スイッチ２３と共に備えていて、外蓋６を開けた状態で稼動しないようにしている。
【０００６】
【発明の効果】
自動巻腕時計の自動巻機構は、時計のゼンマイを巻くという手間を省くために考案された。その機構を利用して非装着時においても時計機能を継続させるために用いられているのがネジ巻装置である。しかし、従来のネジ巻装置を使用するためには、腕時計を完全に固定しなければならない新たな手間が必要となった。しかし、本発明は特殊な二重蓋の構造によりその手間を不要にし、ネジ巻装置に収納箱としても使用できる利便性を与えている。また、本発明は自動巻腕時計のゼンマイを巻き上げるための運動を、人間の自然な動作を模した運動にすることによって時計機械部への攻撃性を軽減させている。この特性は、精密機械である腕時計に対し長期間に渡り断続的に運動を与える場合に重要な特性であるだけでなく、自動巻式以外の腕時計を収納する可能性がある腕時計収納箱にとっては欠かざるべき特性でもある。更に、この運動と二重蓋による腕時計の固定方法は複数の腕時計を同時に収納し、従来よりも小さな作動空間内で運動を与えることを可能にした。これにより本発明は、自動巻腕時計のゼンマイを巻き上げる能力を持っていながら、同等の収納容量を有した腕時計収納箱と大差のない実用的な外寸を形成することが可能となった。尚、腕時計を上下に挟み込み固定するこの方法は、懐中時計等の腕時計式でない携帯時計の収納を可能にし、省スペース化を図るために収納箱を縦置きにする可能性を示したばかりか、ベルトを装備する以前の機械部だけの状態の自動巻腕時計を完成試験機に掛けることをも可能にする固定方法である。
【図面の簡単な説明】
【図１】外蓋６による腕時計７の固定方法を表す構造図である。
【図２】外箱５の底面にある稼動部の部品を示す構成図である。
【符号の説明】
１    内箱
２    内蓋
３    蝶板
４    ボールキャスター
５    外箱
６    外蓋
７    腕時計
８    マグネットキャッチ
９    ステー
１０  駆動アーム
１１  第一補助アーム
１２  第二補助アーム
１３  小歯車
１４  大歯車
１５  作動変換アーム
１６  大プーリー
１７  小プーリー
１８  ベルト
１９  モーターユニット
２０  タイマーユニット
２１  クッション材
２２  開閉センサー
２３  電源スイッチ
２４  電気コード
２５  マグネット用金属板
【図１】
2004309444.tif 000003
【図２】
2004309444.tif 000004